(57)【要約】本発明は、バックパックに関する。本発明のバックパック(10)は、少なくとも１つの傾斜内部パネル(36)を有する。それにより、バックパック(10)の中身を調整する必要なしに、バックパック(10)の内側に配置されたアイテムを、使用者の尻に支持された尻の近くの箇所に積極的に移動させる。バックパック(10)の外面に設けられた逆Ｖ字形状パッド(20)が、バックパック(10)の底部の近くに配置される。パッド(20)は、使用者の背中に接触し、しかも、使用者の尻の上に自動的に載る。それにより、バックパックの荷重をより均等に分配する。
2004523278.tif 000002
【特許請求の範囲】
【請求項１】
使用者の背中の上にアイテムを支持するためのバックパックであって、
アイテムを保持するための保持手段と、
前記保持手段を使用者に装着させるための装着手段と、
アイテムの重量を含む前記バックパックの重量を使用者の尻の上に分配するためのＶ字形パッドと、を有し、
それにより、前記Ｖ字型パッドのアームと使用者の尻との接触は、アイテムの重量を含む前記バックパックの重量を使用者の脊椎の各側にほぼ等しく前記保持手段の上に配置するのに役立つことを特徴とするバックパック。
【請求項２】
前記保持手段は、使用者の背中に近接して位置決めされた底端部を有する傾斜面付きコンバートメントを含み、前記底端部は、前記保持手段の頂面よりも小さい、請求項１に記載のバックパック。
【請求項３】
更に、前記保持手段内に配置された傾斜部材を有し、前記傾斜部材は、その上に配置されたアイテムの重量を前記保持手段の前側底部に向って積極的に移動させる、請求項１に記載のバックパック。
【請求項４】
前記保持手段は、それを使用者の背中に対して位置決めするためのパネルを含み、
前記傾斜部材は、頂端部と底端部とを有し、前記底端部は、前記頂端部よりも使用者の尻の近くに且つ前記保持手段内に配置され、前記頂端部は、前記底端部よりも前記保持手段の頂面の近くに且つ使用者の背中から遠くに位置決めされる、請求項３に記載のバックパック。
【請求項５】
前記傾斜部材は剛性パネルを含む、請求項４に記載のバックパック。
【請求項６】
前記傾斜部材は実質的に可撓性である、請求項５に記載のバックパック。
【請求項７】
使用者の背中の上にアイテムを支持するためのバックパックであって、
アイテムを保持するための保持手段と、
前記保持手段を使用者に装着させるための装着手段と、
前記保持手段内に配置された傾斜部材と、を有し、前記傾斜部材は、その上に配置されたアイテムの重量を前記保持手段の前側底部に向って積極的に移動させることを特徴とするバックパック。
【請求項８】
前記傾斜部材は、前記バックパックの外面の一部分を構成し、その結果、前記保持手段の底部は、前記保持手段の頂部よりも小さく、前記保持手段の底部は、使用者の背中に近接して配置される、請求項７に記載のバックパック。
【請求項９】
前記傾斜部材は剛性パネルを含む、請求項７に記載のバックパック。
【請求項１０】
前記傾斜部材は実質的に可撓性である、請求項７に記載のバックパック。
【請求項１１】
前記保持手段は、それを使用者の背中に対して位置決めするためのパネルを含み、
前記傾斜部材は、頂端部と底端部とを有し、前記底端部は、前記頂端部よりも使用者の尻の近くに且つ前記保持手段内に配置され、前記頂端部は、前記底端部よりも前記保持手段の頂面の近くに且つ使用者の背中から遠くに位置決めされる、請求項７に記載のバックパック。
【請求項１２】
使用者の背中の上にアイテムを支持するためのバックパックであって、
少なくとも使用者の背中の一部分と使用者の尻に接触するように配置されたパネルを含み且つ前記容器の側面を形成する、アイテム保持するためのコンパートメントと、
前記パネルに対して固着され、前記コンパートメントを使用者に固着させるための少なくとも１つのストラップと、
前記パネルに取付けられ、使用者の尻に接触するように配置され、前記コンパートメントが使用者の脊椎の各側に実質的に等しく配置される適所に、前記コンパートメントを積極的に移動させるように構成されたパッドと、
前記コンパートメント内に配置され、頂端部と底端部とを有する傾斜部材と、を有し、
前記底端部は、前記頂端部よりも使用者の尻の近くに配置され、前記頂端部は、前記底端部よりも前記パネルから遠くに位置決めされることを特徴とするバックパック。
【請求項１３】
更に、使用者の高さに順応させるために、前記少なくとも１つのストラップの長さを調整するための手段を有し、それにより、前記パッドは、使用者の高さに関係なしに、所定の高さ範囲内で使用者の尻の上の所望の位置に維持される、請求項１２に記載のバックパック。
【請求項１４】
前記パッドは「Ｖ」字形状である、請求項１２に記載のバックパック。
【発明の詳細な説明】
【技術分野】
【０００１】
２００１年１月２３日に出願した米国仮特許出願第60/263,594号に基づく優先権を主張する。
本発明はバックパックに関し、更に詳細には、バックパックの荷重のいくらかを使用者の尻に自動的に分配するための手段を含むバックパックに関する。
【背景技術】
【０００２】
バックパックは、良く知られている、荷重を支持するための装置である。バックパックの荷重は、その重心を尻の上に配置するために、背中の高部に支持されている。尻はそれ以外の身体の部分よりも容易に荷重を支持するので、荷重を尻の上に配置すれば、背中に加わるトルクを減少させることによって、使用者の背中に働く曲げ力を減少させる。バックパックを使用者の肩に保持するストラップを１組しか有していない伝統的なバックパックは、荷重が背中の極めて上部に支持され且つ荷重がぐらつく傾向があるので、バックパックの底部を、使用者の尻の上の適正な位置から外れるように移動させる傾向がある。バックパックを安定した適正な位置に強制的に配置するために、多くの既知のバックパックは、それを適所に保持する第２の組のストラップを使用者の腰のところに使用し、その結果、バックパックの底部は、使用者の尻の上に載る。しかしながら、これは、使用者がこれらの追加のストラップを実際に使用しているときだけ有用である。特に、もし使用者がバックパックを１日のうちに繰り返し背負ったり下ろしたりするならば、使用者は追加のストラップを使用しない。
【０００３】
更に、使用者が、バックパックの中身がバックパックの内部で適当に分配されることを確保するようにバックパックを詰める時間及び手間をかけなければ、使用者が歩いている間のバックパックの自然な弾みにより、固着された腰ストラップがないバックパックをその適正位置から外れるように移動させ、それにより、使用者の背中に不必要な曲げ力が加えられる。
【０００４】
多くの人は、バックパックを、例えば、学校又は仕事にいくとき等、比較的短い時間使用する。使用者が１日のうちに何回もバックパックを詰めたり出したりするならば、適正な重量配置を確保するようにバックパックを詰めたり詰め直したりする時間をその度にかける意欲を減退させる。そうすることの代わりに、使用者は、適正な配置即ち荷重バランスを考慮することなしに、中身をバックパックに投げ入れたり、バックパックから引出したりする傾向がある。これは、教科書等の重量物をバックパック内のより最適でない位置に収容させ、バックパックを尻の上の適当な配置から外れるように押しやる傾向がある。
【０００５】
結果として、支持される荷重の重量は、バックパック内で成り行きまかせに分配される傾向があり、使用者の背中から遠ざかるように不適切に位置決めされ、それにより、背中に不必要な下向きトルクが加わることになる。腰ストラップが使用されなければ、バックパックの重量を使用者の尻から遠ざかるように移動させるので、問題が複合的になる。これらの全ての状況により、追加の不必要な曲げ力を使用者に配置する。
【発明の開示】
【発明が解決しようとする課題】
【０００６】
任意の人間中心的なシステム等、バックパック内の重量を分配するための任意のシステムは、それを使用したときにだけ有用であるに過ぎない。たとえ長期間の利益が重要であるとしても、システムを機能させるのに要する時間がシステムによって与えられる短期間の利益よりも重荷になると感じている使用者は、それがどんなに有用で助けになっていても、それを機能させないで省略する傾向がある。かくして、バックパックを最小の努力で位置決めするように、バックパックの使用者を補助するためのシステムの要望がある。
【０００７】
更に、種々の使用者の身体の寸法及び形状の通常の違いは、扱いにくくて時間をかける価値がないときに正しく使用されなかったり無視されたりする別の調整可能な寸法決め要素を使用することなしに、個々の使用者の要望に順応させることを困難にする。
【０００８】
従って、本発明の目的は、バックパックによって支持される重量を使用者の尻の上のバックパックの正確な位置に分配することにに役立つバックパックを提供することにある。
本発明の更なる目的は、使用者によって支持される重量が、１組の腰ストラップを使用する必要なしに、使用者の尻の上の適所に維持されるバックパックを提供することにある。
本発明の更なる目的は、使用者の身体の特定の寸法及び形状と無関係に、バックパックの重量を使用者の尻の上で部分的に支持するバックパックを提供することにある。
【課題を解決するための手段】
【０００９】
本発明によるバックパックは、バックパックの中身を調整する必要なしに、バックパックの内側に配置されたアイテムを使用者の尻の近くに且つ尻に支持された適所に積極的に移動させる少なくとも１つの傾斜内部パネルを有する。バックパックを適切に装着したとき、パネルは、その上に配置されたアイテムをバックパックの内部の前側底部に向って、使用者の腰のくびれた部分のより近くに積極的に移動させる。バックパックの外面に且つその底部の近くに配置された逆「Ｖ」字形状パッドが、使用者の背中に接触し、使用者の尻の上に自動的に載り、それにより、バックパックの荷重をより快適に分配する。「Ｖ」字形状は、使用者の脊椎の各側に働く荷重を各尻の上にバランスさせることに役立つ。傾斜パネルの使用によって補助される内部重量分配により、追加の固着ストラップを締めることなしに、パッドを使用者の尻の上に載せる。
本発明の他の目的及び特徴は、添付図面と関連して考えられる以下の詳細な説明から明らかになろう。しかしながら、図面は単に例示の目的で設計され、本発明の限定を構成するものではなく、本発明は特許請求の範囲を参照すべきものであることを理解すべきである。図面は必ずしも一定の尺度で描かれているわけではなく、もしその他のものが指示されなければ、図面は、単に上述した構造及び方法を概念的に図示するものである。
【発明を実施するための最良の形態】
【００１０】
図１は、本発明によるバックパック１０を示し、更に、バックパックを装着したときに使用者の背中に最も近接して装着されるパネル１２を示している。バックパック１０は、ほぼ矩形のパネル１２を含み、好ましくは、パネル１２の形状を支持するいくつかの手段、例えば、可撓性プラスチックシート等の半剛性材料で形成された内部フレーム又は支持シート(別々に特定しない)を有している。パネル１２は、デザイン的な選択事項として、ほぼ平らであっても良いし、使用者の背中の輪郭と一致するように形状決めされていても良い。図面では、簡単に示すために、パネル１２をほぼ平らに示している。パネル１２は、一般的には、バックパック１０の形状及び寸法を定めるが、バックパック１０の頂面の上に突出する剛性フランジ１４も含んでいる。剛性フランジ１４は、バックパック１０が使用者の背中の上にないときのバックパック１０の保持を可能にするハンドル１８を含み、ハンドル１８は、剛性フランジ１４の開口として形成されている。変形例として、ハンドルは、バックパックの上面又は上縁に取付けられたストラップの形態を有していても良い。
【００１１】
使用者の背中の上に配置される逆「Ｖ」字状に形状決めされたパッド２０が、バックパック１０の外面に位置決めされ、側部でパネル１２に固定されている。パッド２０は、使用者の背中の上へのバックパックの接触箇所であり、快適なフィット即ち適合状態を得るために、好ましくは、弾性フォーム等の所望のクッション材料で形成されている。
【００１２】
パッド２０は、下方に延びるアーム２２を含み、アーム２２は、パネル１２の左右方向の中心線上の位置からバックパック１０の底部に向って広がるように下方に延び、図１に示す逆「Ｖ」字形を形成する。この形態は、バックパックを装着したとき、パッド２０が使用者の尻の上に載ることを確保する。というのは、パッド２０以外、使用者の身体とバックパック１０との間の接触箇所がバックパックの底部に存在しないからである。パッド２０は、使用者の尻の最上部の幅に応じた位置で使用者の尻に接触することになる。尻が狭い使用者は、尻が幅広の(おそらくより大きい)使用者よりも下方に、パッド２０をその人の背中の上に載せる。しかしながら、それにもかかわらず、パッド２０は、使用者の尻に２つの箇所で接触し、各アーム２２上の接触している箇所は、接触箇所における使用者の尻と尻との隔たりに対応する。
接触箇所がこれら２つの箇所にあり、２つの箇所が使用者の脊椎の両側に等しく間隔をおいているので、バックパック１０は、使用者の脊椎に対して心出しされ、バックパック１０が使用者の背中の所望の位置にとどまるのを助けることに役立つ。
更に、バックパック１０の逆「Ｖ」字形状は、バックパック１０の底部が単に使用者の各尻の上に載ることによって、使用者の脊椎の各側にあるバックパック１０の中身の重量を分配することに役立つ。
【００１３】
１対の肩ストラップ２４は各々、剛性フランジ１４に固定されたパッド付き部分２６と、パネル１２の下端に固定された薄い固着部分２８とを有している。各パッド付き部分２６は、使用者の高さに順応させるために肩ストラップ２４の全長の相対的な調整を行う在来の調整可能な取付け手段、例えば、バックル３０によって、それぞれの固着部分２８に取付けられている。肩ストラップ２４の全長の調整により、使用者がその人の背中の上のバックパック１０の位置を調整することを可能にし、それにより、上述したように、バックパック１０の底部の「Ｖ」字形状パッド２０を尻と接触した状態に維持する。
好ましくは、使用者は、横ストラップ３２の使用によって、肩からの肩ストラップ２４の滑りを防止するのが良い。横ストラップ３２は、肩ストラップ２４を適所に保持する第２の調整可能なファスナー３４を含んでいる。ファスナー３４は、使用者の胴の幅に順応するように在来の仕方で調整されるのが良い。
多くの異なる種類のストラップ、ファスナー及び高さ調整手段が当該技術で知られており、適当な種類のこれらの物品の選択は、デザイン的な選択事項に応じて当業者間でよく行われている。
【００１４】
パネル３６(図１では仮想線で示す)が、バックパック１０内に配置された物品即ちアイテムを使用者の尻に向って積極的に移動させるように位置決めされている。パネル３６は、バックパック１０の後側頂部からバックパック１０の前側底部に向って傾斜し、それにより、使用者がアイテムをバックパック１０内に配置したりそこから取出すたびにバックパック１０の中身の位置を積極的に動かす必要なしに、パネル３６上に配置されたアイテムを使用者の尻に近づけるように積極的に移動させる。パネル３６は、例えば、その中に半硬質プラスチック支持体を有する等、剛性であっても良いし、例えば、純粋に丈夫なファブリックで形成されている等、可撓性であっても良い。好ましい実施形態では、図３に最も良く示すように、バックパック１０内に配置されたアイテムを区画に分けるための２枚のパネルを使用するのが良く、このことについては、後で説明する。これはデザイン的な選択事項である。任意の場合において、バックパック１０内のパネル３６の位置決めは、アイテムをバックパック１０内に保持するための傾斜面付き区画即ちコンパートメント３８(図３参照)を形成する。
【００１５】
変形の実施形態では、傾斜面付きコンパートメント３８が、バックパック内の唯一のコンパートメントあっても良く、この場合、パネル３６は、バックパックの外面を構成する。
どちらの実施形態でも、支持すべきアイテムが傾斜パネル３６の上に配置される事実により、重力によってパネル３６上に及ぼされる下向きの力の一部分を、使用者の背中の方向の水平方向力ベクトルに変換させる。これは、荷重全体を使用者の肩に支持させるのではなく、全荷重の一部分を使用者の尻に配置することによって、バックパックの見かけの荷重を減少させる。
【００１６】
図２を参照すれば、第１のジッパー付き開口４０がバックパック１０の頂面１６をその残り部分に取付けている。第１のジッパー付き開口４０は、コンパートメント３８を開閉するための１又は２以上の在来のジッパープル４２を含むのが良い。頂面１６は、選択的には、第２のジッパー付き開口４４を含むのが良く、第２のジッパー付き開口４４は、選択的な頂部コンパートメント４８への出入り口を形成するための少なくとも１つのジッパープル４６を含み、頂部コンパートメント４８内には、例えば、個人用ステレオ装置を配置することができる。そのような使用のために、ヘッドホンコードが貫通することを可能にするための選択的なフラップ付き開口５０が頂面１６に含まれるのが良い。
バックパック１０の下側部分の下側コンパートメント５６(図３参照)に物品を出し入れするための第３のジッパー付き開口５２が設けられるのが良く、第３のジッパー付き開口５２は、ジッパープル５４を有する。好ましい実施形態では、外側ポケット５８並びに小さい後ポケット６０が、バックパック１０の後面に配置され、後ポケット６０は、少なくとも１つのジッパープル６４を有する第４のジッパー付き開口６２によって、物品の出し入れが可能である。
【００１７】
バックパック２０の内部を図３に示す。分かるように、傾斜面付きコンパートメント３８が、パネル３６とパネル１２との間の領域として構成されている。頂部よりも底部のところが小さいので、第１のジッパー付き開口４０から頂部に配置された任意のアイテムは、傾斜面付きコンパートメント３８の前側底部の位置に、即ち、パッド２０を支持している使用者の尻により近い位置に積極的に移動させられる。このように、バックパックの重量は、最大の快適さと支持を提供する位置に積極的に移動させられる。従って、傾斜面付きコンパートメント３８の傾斜により、バックパック１０を適所に保持するための別の固着手段を使用する要望を不要にし、バックパック１０の中身をごちゃまぜにする又はバックパック１０の下端と分離型ストラップ−バックル構成とを固着させる必要なしに、バックパック１０の有用性を増大させる。
【００１８】
図３はまた、パネル３６にウエブ６６によって取付けられた第１の可撓性分割体等、望むならば、コンパートメント３８を２つの別々の収容領域に分割することを可能にするバックパック１０の更なる有用性を提供するための選択的要素を示す。パネル３６の底面に第２のウエブ７０によって取付けられた追加の分割体６８により、下側コンパートメント５６を別々の領域に分割するのが良い。ペン用ポケット、コンピュータディスク用ポケット又はその他の小物要素等の選択的に収容要素が、追加の分割体６８の下面に設けられるのが良い。
【００１９】
かくして、本発明の好ましい実施形態に適用されたときの本発明の基本的な新規な特徴を開示し、説明し、指摘したけれども、図示した本発明の形態及び詳細についての種々の省略、置換、変化及びそれらの作用を、本発明の精神から逸脱することなしに、当業者は行っても良い。例えば、同じ結果を達成するために実質的に同じやり方で実質的に同じ機能を奏するこれらの要素及び／又は方法段階のすべての組合わせは、本発明の範囲内にある。更に、本発明の任意の開示形態、即ち、実施形態と関連して示し且つ／又は説明した構造及び／又は要素及び／又は方法段階は、一般的なデザイン選択事項として、任意のその他の開示され、説明され又は提案された形態、即ち、実施形態に組込まれても良いことを認識すべきである。従って、添付の特許請求の範囲によって指示されるときにだけ本発明が限定されることに注意すべきである。
【図面の簡単な説明】
【００２０】
【図１】部分的に仮想線にした本発明のバックパックの斜視図である。
【図２】図１の本発明のバックパックの後方からの斜視図である。
【図３】図面を簡単にするためにストラップを省略した、図１及び図２に示した本発明のバックパックの線III−IIIにおける断面図である。
【国際公開パンフレット】
2004523278.tif 000003
2004523278.tif 000004
2004523278.tif 000005
2004523278.tif 000006
2004523278.tif 000007
2004523278.tif 000008
2004523278.tif 000009
2004523278.tif 000010
2004523278.tif 000011
2004523278.tif 000012
2004523278.tif 000013
2004523278.tif 000014
2004523278.tif 000015
2004523278.tif 000016
2004523278.tif 000017
2004523278.tif 000018
2004523278.tif 000019
2004523278.tif 000020
2004523278.tif 000021
2004523278.tif 000022
【国際調査報告】
2004523278.tif 000023